(57)【特許請求の範囲】
【請求項１】
腕径よりも大径かつ柔軟な輪形に形成された第一紐部と、
腕径よりも大径かつ柔軟な輪形に形成された第二紐部と、
を備え、
前記第一紐部及び前記第二紐部が、互いに相対移動可能に接続されていることを特徴とする鞄紐。
【請求項２】
前記第一紐部及び前記第二紐部との間に配されて、前記第一紐部及び前記第二紐部がそれぞれ移動自在に接続された結合部を備えていることを特徴とする請求項１に記載の鞄紐。
【請求項３】
前記第一紐部が貫入され、かつ、前記第二紐部が貫入された結合部を備えていることを特徴とする請求項２に記載の鞄紐。
【請求項４】
前記結合部が、前記第一紐部が貫入された第一環状部と、
前記第二紐部が貫入された第二環状部と、
を備えていることを特徴とする請求項２に記載の鞄紐。
【請求項５】
前記第一紐部の周方向に移動自在に配されて鞄本体と接続される第一接続部と、
前記第二紐部の周方向に移動自在に配されて鞄本体と接続される第二接続部と、
を備えていることを特徴とする請求項１から４の何れか一つに記載の鞄紐。
【請求項６】
前記結合部が、前記鞄本体と接続可能な第三接続部を備えていることを特徴とする請求項５に記載の鞄紐。
【請求項７】
前記第三接続部を複数備えていることを特徴とする請求項６に記載の鞄紐。
【請求項８】
前記第一紐部と前記第二紐部とが、直接貫入し合っていることを特徴とする請求項１に記載の鞄紐。
【請求項９】
前記第一紐部の長さを変化させる第一調節部と、
前記第二紐部の長さを変化させる第二調節部と、
を備えていることを特徴とする請求項１から８の何れか一つに記載の鞄紐。
【請求項１０】
前記結合部の長さを変化させる第三調節部を備えていることを特徴とする請求項２から７の何れか一つに記載の鞄紐。
【請求項１１】
請求項１から１０の何れか一つに記載の鞄紐と、
前記第一紐部及び前記第二紐部とそれぞれ接続された鞄本体と、
を備えていることを特徴とする鞄。
【請求項１２】
前記第一紐部と前記鞄本体、及び前記第二紐部と前記鞄本体とがそれぞれ着脱自在に接続されていることを特徴とする請求項１１に記載の鞄。
【発明の詳細な説明】
【技術分野】
【０００１】
本発明は、鞄紐および鞄に関する。
【背景技術】
【０００２】
長時間にわたって重い鞄を手提げ状態、肘掛け状態、又は肩掛け状態だけで持ち運ぶ際には、持ち手を交互に換えながらでないと疲れやすい。一方、リュックサックのような背負い状態では、両肩に負担を分散させることができ、持ち運びしやすい。そこで、手提げ状態又は肩掛け状態だけでなくリュックサックのように背負い状態でも使用できる鞄が提案されている（例えば、特許文献１参照。）。
【０００３】
この鞄は、鞄紐の構造が、肩に掛けたまま重ねた上方のベルトをはずし、反対側の肩にベルトを掛けて、肩掛け使用と背負い使用とをワンタッチで切り替えることができるようになっている。そのため、鞄を使用するときの体調や周囲の状況、内容物の状態によって、把持状態をいろいろと使い分けることができ便利である。
【特許文献１】実用新案登録第３０３９９６８号公報
【発明の開示】
【発明が解決しようとする課題】
【０００４】
しかしながら、上記従来の鞄紐及び鞄では、実際には肩掛け状態からのワンタッチ操作が難しく、取り扱いづらいといった問題がある。
本発明は上記事情に鑑みて成されたものであり、一つの鞄紐で、手提げ状態、肘掛け状態、肩掛け状態、そして、腕を通しての斜め掛け状態、前抱え状態、背負い状態での使い分けができ、かつこれらを素早く切り替えることができ、かつ前抱え状態や背負い状態で楽に使用できる鞄紐及び鞄を提供することを目的とする。
【課題を解決するための手段】
【０００５】
本発明は、上記課題を解決するため、以下の手段を採用する。
本発明に係る鞄紐は、腕径よりも大径かつ柔軟な輪形に形成された第一紐部と、腕径よりも大径かつ柔軟な輪形に形成された第二紐部と、を備え、前記第一紐部及び前記第二紐部が、互いに相対移動可能に接続されていることを特徴とする。
【０００６】
この発明は、第一紐部及び第二紐部のそれぞれの輪内に腕を入れて、鞄本体を腹抱え状態又は背負い状態で使用することができる。このとき、第一紐部及び第二紐部が相対移動するので、前抱え時や背負い時に第一紐部及び第二紐部が肩からずれ落ちてしまうのを好適に抑えることができる。そして、第一紐部及び第二紐部にかかる力を均等に配分させることができ、体に負担の少ない状態で鞄本体を持ち運ぶことができる。
【０００７】
また、本発明は前記鞄紐であって、前記第一紐部及び前記第二紐部との間に配されて、前記第一紐部及び前記第二紐部が、それぞれ移動自在に接続された結合部を備えていることを特徴とする。
【０００８】
特に、前記第一紐部が貫入され、かつ、前記第二紐部が貫入された結合部を備えていることが好ましい。
【０００９】
また、前記結合部が、前記第一紐部が貫入された第一環状部と、前記第二紐部が貫入された第二環状部と、を備えていることが好ましい。
【００１０】
この発明は、鞄本体を前抱え状態又は背負い状態で使用する際、結合部が第一紐部と第二紐部とに対してそれぞれ好適な位置に移動して、第一紐部及び第二紐部の肩からのずれを規制して鞄本体を抱えやすい又は背負いやすい状態に維持することができる。
【００１１】
また、本発明は前記鞄紐であって、前記第一紐部の周方向に移動自在に配されて鞄本体と接続される第一接続部と、前記第二紐部の周方向に移動自在に配されて鞄本体と接続される第二接続部と、を備えていることを特徴とする。
【００１２】
この発明は、鞄本体に対して第一紐部及び第二紐部が相対移動でき、第一紐部及び第二紐部に腕を通しやすくすることができ、鞄本体を抱えやすい又は背負いやすい状態に維持することができる。
【００１３】
また、本発明は前記鞄紐であって、前記結合部が、前記鞄本体と接続可能な第三接続部を備えていることを特徴とする。
【００１４】
この発明は、第一接続部及び第二接続部を鞄本体と接続させた状態で、第三接続部と鞄本体とを接続することによって、鞄紐の全体長さを短くした状態で鞄本体を把持することができる。
【００１５】
また、本発明は前記鞄紐であって、前記第三接続部を複数備えていてもよい。この場合、複数の第三接続部をそれぞれ鞄本体と接続させることによって、結合部のみの長さで把持することができる。
【００１６】
また、本発明は前記鞄紐であって、前記第一紐部と前記第二紐部とが、直接貫入し合っていてもよい。
【００１７】
また、本発明は前記鞄紐であって、前記第一紐部の長さを変化させる第一調節部と、前記第二紐部の長さを変化させる第二調節部と、を備えていることを特徴とする。
【００１８】
この発明は、第一紐部及び第二紐部のそれぞれの輪の大きさを所望の大きさに調節することができ、鞄本体の抱え時の吊り下げ長さや抱え心地、又は背負い時の背負い心地を好適に調節することができる。
【００１９】
また、本発明は前記鞄紐であって、前記結合部の長さを変化させる第三調節部を備えていることを特徴とする。
【００２０】
この発明は、第三調節部によって、第一紐部及び前記第二紐部間の距離を変化させることができ、抱え心地又は背負い心地をより向上することができる。
【００２１】
本発明に係る鞄は、本発明に係る鞄紐と、前記第一紐部及び前記第二紐部とそれぞれ接続された鞄本体と、を備えていることを特徴とする。
【００２２】
また、本発明に係る鞄は前記鞄であって、前記第一紐部と前記鞄本体、及び前記第二紐部と前記鞄本体とがそれぞれ着脱自在に接続されていてもよい。
【発明の効果】
【００２３】
本発明によれば、一つの鞄紐で、手提げ状態、肘掛け状態、肩掛け状態、そして、腕を通しての斜め掛け状態、前抱え状態、背負い状態での使い分けができ、かつこれらを素早く切り替えることができ、かつ前抱え状態や背負い状態で楽に使用できる。
【発明を実施するための最良の形態】
【００２４】
本発明に係る第１の実施形態について、図１から図５を参照して説明する。
本実施形態に係る鞄１は、鞄本体２と、鞄本体２と着脱自在に接続される第一ナスカン（第一接続部）３及び第二ナスカン（第二接続部）５を有する鞄紐６と、を備えている。
【００２５】
鞄本体２には、表面部２Ａと、その両側に接続された側部２Ｂ，２Ｃとが設けられている。側部２Ｂには、第一ナスカン３が接続される第一カン７が配されている。また、側部２Ｃには、第二ナスカン５が接続される第二カン８が配されている。
【００２６】
鞄紐６は、腕径よりも大径かつ柔軟な輪形に形成されて、第一ナスカン３が周方向に移動自在に配された第一紐部６Ａと、腕径よりも大径かつ柔軟な輪形に形成されて、第二ナスカン５が周方向に移動自在に配された第二紐部６Ｂと、第一紐部６Ａ及び第二紐部６Ｂの双方がそれぞれ貫入された輪形の結合部６Ｃと、を備えている。すなわち、輪形の第一紐部６Ａと結合部６Ｃとが互いに貫入し合って、かつ、輪形の第二紐部６Ｂと結合部６Ｃとが互いに貫入し合って、第一紐部６Ａ及び第二紐部６Ｂが、結合部６Ｃを介して互いに移動自在につなぎ合わされた状態で一体の鞄紐６を構成している。なお、第一紐部６Ａ、第二紐部６Ｂ、結合部６Ｃの相対移動を所定の範囲内に規制する部材が、少なくとも第一紐部６Ａ、第二紐部６Ｂ、結合部６Ｃの何れか一つに配されていてもよい。
【００２７】
第一紐部６Ａ及び第二紐部６Ｂは、ともに帯状で皮や布のように柔軟な材質で形成されている。第一紐部６Ａの途中には、第一紐部６Ａの長さを変化させる第一移動カン（第一調節部）１０が配されており、第一紐部６Ａが第一移動カン１０によって輪形に形成されている。同様に、第二紐部の途中には、第二紐部６Ｂの長さを変化させる第二移動カン（第二調節部）１１が配されており、第二紐部６Ｂが第二移動カン１１によって輪形に形成されている。
【００２８】
結合部６Ｃも帯状で皮や布のように柔軟な材質で形成されている。この結合部６Ｃは、さらに鞄本体２の第一カン７又は第二カン８と接続可能な第三ナスカン（第三接続部）１２を備えている。
【００２９】
次に、本実施形態に係る鞄１及び鞄紐６の作用について使用方法とともに説明する。
まず、鞄紐６の第一ナスカン３と鞄本体２の第一カン７とを接続し、同様に第二ナスカン５と第二カン８とを接続して鞄１とする。この鞄１を肩掛け状態（又は斜め掛け状態）で使用する場合には、鞄紐６と鞄本体２との間に腕を通して、図２に示すように、肩に掛ける。この際、第一移動カン１０及び第二移動カン１１を操作して、第一紐部６Ａ及び第二紐部６Ｂの長さをそれぞれ好適な長さに調節しておく。
【００３０】
鞄本体２を腹側に抱えるように前抱え状態で使用する場合には、まず、第一紐部６Ａ及び第二紐部６Ｂの輪の大きさが腕を挿入しやすい大きさとなるように、かつ、腕を通した際に鞄本体２が腹側の好適な位置に配されるように、第一移動カン１０及び第二移動カン１１を移動して調節する。
【００３１】
そして、図３に示すように、鞄本体２を腹側にして第一紐部６Ａ及び第二紐部６Ｂのそれぞれの輪内に腕をそれぞれ通す。このとき、結合部６Ｃが第一紐部６Ａ及び第二紐部６Ｂに対してそれぞれ相対移動しながら、第一紐部６Ａ及び第二紐部６Ｂが離間しないように引っ張られた状態となって背中側に配される。
【００３２】
鞄本体２を背中側に配して背負い状態で使用する場合も、鞄本体２を腹側に抱える場合と同様となる。すなわち、上述のように第一紐部６Ａ及び第二紐部６Ｂの輪の大きさを調節後、図４に示すように、鞄本体２を背側にして第一紐部６Ａ及び第二紐部６Ｂの輪内に腕をそれぞれ通す。このとき、結合部６Ｃは背中側に配されて第一紐部６Ａ及び第二紐部６Ｂが離間しないように引っ張られた状態となる。
【００３３】
鞄紐６を肘掛け状態や手提げ状態で使用する場合には、上述の場合よりも鞄紐６全体の長さを短くする必要がある。そのため、図５に示すように、第一紐部６Ａに配された第一ナスカン３を第一カン７から離脱させ、代わりに結合部６Ｃに配された第三ナスカン１２と第一カン７とを接続する。第一紐部６Ａは、鞄本体２内に収納しておく。このとき、鞄紐６の全体長さは、第二紐部６Ｂと結合部６Ｃとを足した長さとなる。こうして、鞄紐６と鞄本体２との間に腕を入れて肘掛状態で使用、又は、鞄紐６をつかんで手提げ状態で使用する。
【００３４】
この鞄１及び鞄紐６によれば、第一ナスカン３及び第二ナスカン５を鞄本体２の第一カン７及び第二カン８にそれぞれ接続することによって、肘掛け又は肩掛け状態で使用することができる。また、第一紐部６Ａ及び第二紐部６Ｂが輪形に形成されているので、それぞれの輪内に腕を入れて、鞄本体２を腹抱え状態又は背負い状態で使用することができる。このとき、第一紐部６Ａ及び第二紐部６Ｂが相対移動するので、前抱え時や背負い時に第一紐部６Ａ及び第二紐部６Ｂが肩からずれ落ちてしまうのを好適に抑えることができる。そして、第一紐部６Ａ及び第二紐部６Ｂにかかる力を均等に配分させることができ、体に負担の少ない状態で鞄本体２を持ち運ぶことができる。
【００３５】
特に、輪形に形成された結合部６Ｃを備え、第一紐部６Ａと第二紐部６Ｂとがそれぞれ結合部６Ｃと貫入し合ってつなぎ合わされている。そのため、前抱え時や背負い時の途中で、結合部６Ｃが第一紐部６Ａと第二紐部６Ｂとに対してそれぞれ好適な位置まで移動して、結合部６Ｃが邪魔にならないようにすることができ、鞄本体２を抱えやすい又は背負いやすい状態に維持することができる。
【００３６】
また、第一ナスカン３が第一紐部６Ａの周方向に移動自在に、及び第二ナスカン５が第二紐部６Ｂの周方向に移動自在に配されているので、鞄紐６を鞄本体２と接続したときに、鞄本体２に対して第一紐部６Ａ及び第二紐部６Ｂが相対移動できる。そのため、第一紐部及び第二紐部に腕を通しやすくすることができる。
【００３７】
さらに、結合部６Ｃが、鞄本体２と接続される第三ナスカン１２を備えているので、第三ナスカン１２と第一カン７又は第二カン８とを接続することによって、鞄紐６の全体長さを短くした状態で鞄本体２を把持することができる。
【００３８】
また、第一紐部６Ａには第一移動カン１０が、第二紐部６Ｂには第二移動カン１１が配されているので、第一紐部６Ａ及び第二紐部６Ｂのそれぞれの輪の大きさを所望の大きさに調節することができ、鞄本体２の抱え時の吊り下げ長さや抱え心地、又は背負い時の背負い心地を好適に調節することができる。
【００３９】
なお、図６に示すように、結合部２０の途中に、結合部２０の長さを変化させる第三移動カン（第三調節部）２１が配され、第三移動カン２１によって結合部２０が輪形に形成された鞄紐２２及び鞄２３であってもよい。
【００４０】
この第三移動カン２１によって、第一紐部６Ａ及び第二紐部６Ｂ間の距離を変化させることができ、抱え心地又は背負い心地をより向上することができる。
【００４１】
また、図７に示すように、結合部２５が、第一紐部６Ａが貫入された第一環状部２５Ａと、第二紐部６Ｂが貫入された第二環状部２５Ｂと、第一環状部２５Ａ及び第二環状部２５Ｂが両端に配された帯状の結合本体２５Ｃと、を備える鞄紐２６及び鞄２７でもよい。
【００４２】
この鞄紐２６は、第一紐部６Ａと第一環状部２５Ａとが移動自在に接続され、かつ、第二紐部６Ｂと第二環状部２５Ｂとが移動自在に接続されているので、第一紐部６Ａ及び第二紐部６Ｂを結合部２５を介して相対移動可能に接続することができる。したがって、上述と同様の作用・効果を奏することができる。
【００４３】
次に、第２の実施形態について図８を参照しながら説明する。
なお、上述した第１の実施形態と同様の構成要素には同一符号を付すとともに説明を省略する。
第２の実施形態と第１の実施形態との異なる点は、本実施形態に係る鞄紐３０が、結合部６Ｃを介さずに、第一紐部６Ａと第二紐部６Ｂとが直接貫入し合っている点である。
【００４４】
この鞄紐３０及び鞄３１も、鞄本体２を腹側に抱えたり背負ったりしたときに、第一紐部６Ａ及び第二紐部６Ｂが相対移動するので、体に負担の少ない状態で鞄本体２を持ち運ぶことができる。
【００４５】
なお、本発明の技術範囲は上記実施の形態に限定されるものではなく、本発明の趣旨を逸脱しない範囲において種々の変更を加えることが可能である。
例えば、結合部は第一紐部６Ａ及び第二紐部６Ｂと同じような柔軟な材質に限定されることはなく、金属や樹脂で硬く変形しにくい材質からなるものでも構わない。また、第一紐部及び第二紐部は、移動カンの代わりにバックルを備え、ベルト構造にて輪形に形成されたものでも構わない。さらに、第一紐部及び第二紐部は帯状である必要はなく、紐状でも構わない。
【００４６】
また、鞄本体と鞄紐とが第一ナスカン３や第二ナスカン５のようなものを介さずに、最初から一体に接続されたものでも構わない。
【００４７】
また、結合部が第三ナスカン１２を複数備えていてもよい。この場合、別々の第三ナスカン１２をそれぞれ第一カン７及び第二カン８の両方に接続することによって、結合部のみの長さで把持することができ、手提げ状態での使用がより好適となる。この場合、第一紐部６Ａ及び第二紐部６Ｂを鞄本体２内に収納しておくことができる。
【図面の簡単な説明】
【００４８】
【図１】本発明の第１の実施形態に係る鞄及び鞄紐を示す正面図である。
【図２】本発明の第１の実施形態に係る鞄及び鞄紐を肩掛け状態で使用する場合を示す説明図である。
【図３】本発明の第１の実施形態に係る鞄の鞄本体を腹側で抱えた状態で鞄紐に腕を通して使用する場合を示す説明図である。
【図４】本発明の第１の実施形態に係る鞄の鞄本体を背側に吊り下げた状態で鞄紐に腕を通して使用する場合を示す説明図である。
【図５】本発明の第１の実施形態に係る鞄及び鞄紐を肘掛け又は手提げ状態で使用する場合を示す説明図である。
【図６】本発明の第１の実施形態に係る鞄及び鞄紐の他の例を示す正面図である。
【図７】本発明の第１の実施形態に係る鞄及び鞄紐の他の例を示す正面図である。
【図８】本発明の第２の実施形態に係る鞄及び鞄紐を示す正面図である。
【符号の説明】
【００４９】
１，２３，２７，３１  鞄
２  鞄本体
３  第一ナスカン（第一接続部）
５  第二ナスカン（第二接続部）
６，２２，２６，３０  鞄紐
６Ａ  第一紐部
６Ｂ  第二紐部
６Ｃ，２０，２５  結合部
１０  第一移動カン（第一調節部）
１１  第二移動カン（第二調節部）
１２  第三ナスカン（第三接続部）
２１  第三移動カン（第三調節部）
２５Ａ  第一環状部
２５Ｂ  第二環状部
【図１】
0004338763.tif 000002
【図２】
0004338763.tif 000003
【図３】
0004338763.tif 000004
【図４】
0004338763.tif 000005
【図５】
0004338763.tif 000006
【図６】
0004338763.tif 000007
【図７】
0004338763.tif 000008
【図８】
0004338763.tif 000009